(57)【要約】      （修正有）【課題】装着及び脱着が容易であり、経済性に優れると共に環境にも優しく、且つ装着時に、「アタリ」の感触が手元に伝達され易い釣り用錘を提供する。【解決手段】一対の半部から形成され、釣り仕掛けに装着しうる釣り用錘１０において、上記一対の半部１１，１２を接合した場合に互いに当接する上記半部の当接面部１３，１４には、一対の溝部１５，１６が形成され、上記一対の溝部は、上記半部を接合した場合に、長さ方向に沿って互いに当接することによりライン糸通し孔部１７を形成する構成とする。【選択図】図１
0003155948.tif 000002
【実用新案登録請求の範囲】
【請求項１】
一対の半部から形成され、釣り仕掛けに装着しうる釣り用錘において、
上記一対の半部を接合した場合に互いに当接する上記半部の当接面部には、一対の溝部が形成され、
上記一対の溝部は、上記半部を接合した場合に、互いに当接することによりライン糸通し孔部を形成することを特徴とする釣り用錘。
【請求項２】
上記釣り用錘は全体紡鐘形状に形成され、
上記半部は、上記釣り用錘を径方向に沿って二分割することにより形成されると共に、径方向一端部において開閉可能にヒンジ結合されていることを特徴とする請求項１記載の釣り用錘。
【請求項３】
上記半部は鉛で形成されていることを特徴とする請求項１又は２に記載の釣り用錘。
【考案の詳細な説明】
【技術分野】
【０００１】
本考案は、釣り仕掛け上に取り付けて使用する錘に関する。
【背景技術】
【０００２】
釣り仕掛けには、投てき時の飛距離向上及び、水中での浮き上がり防止等の目的に応じて釣り用錘が装着される。
上記釣り用錘には多種多様な製品が存在するが、主な種類として、錘本体に設けられた溝部にライン糸を通し、上記溝部を外方から押圧して潰すことによってライン糸を挟み込んで固定する、所謂噛み潰し錘と、錘本体に貫通孔が設けられ、上記貫通孔にライン糸を貫装して装着する所謂中通し錘がある。
上記噛み潰し錘の場合、溝部を潰してライン糸を挟むことにより固定されることから、潰れた溝部を復元することは困難であり、一旦装着すると、取り外し操作が非常に煩わしいという不具合を有していた。
従って、別の釣り用錘に交換する場合に非常に手間がかかると共に、糸を切断して交換する場合は、切断したライン糸を廃棄する必要があることから、不経済であり、且つゴミが増大するため環境面においても好ましくないという不具合を有していた。
また、ライン糸を挟んで固定することから、魚の食いつきにより、ライン糸が引っ張られた場合であっても、上記噛み潰し錘によって、ライン糸の動きが寸断され、「アタリ」の感触が手元に伝達され難くなるという不具合を有していた。
一方、中通し錘の場合は、ライン糸が貫通孔内で摺動することができることから、魚の食いつきによるライン糸の動きがそのまま竿に伝達され、所謂「アタリ」の感触が、手元に伝達され易いという利点を有している。
しかしながら、上記中通し錘の場合も、ライン糸から脱着するためには、ライン糸を切断する必要があることから、経済性及び環境面において、上記噛み潰し錘と同様の不具合を有していた。
【０００３】
また、図２に示すように、径方向端部において開閉可能な一対の半球形の半部４１、４２とから形成され、上記半部４１、４２にライン糸（図２は図示せず）を挟み込むことにより釣仕掛けに装着しうる釣り用錘４０が提案されている（特許文献１）。
図２に示すように、上記特許文献１に係る釣り用錘４０は、鉛等の可撓性部材からなり、上記半部４１、４２は、径方向一端部４７において接合されている。
また、上記半部４１、４２を接合した場合に互いに当接する当接面部４３、４４の略全域には、略長方形の両面粘着テープ４５、４６が配設され、上記両面粘着テープ４５、４６は、上記半部４１、４２の接合部４８の両端部近傍において、互いに接合されている。
上記特許文献１に係る釣用錘４０を釣り仕掛けに装着する場合は、上記半部４１、４２の間にライン糸を配置した上で、上記半部４１、４２を接合することにより、上記ライン糸が上記両面粘着テープ４５、４６に挟み込まれ、釣り仕掛け上の所定位置に固定される。
従って、従来の噛み潰し錘と比較して装着操作は容易となるが、上記半部４１、４２は、上記両面粘着テープ４５、４６の粘着力によって強固に接着されるため、上記半部４１、４２を再度開放状態に復元することは容易ではなく、取り外し作業が煩わしいという不具合を有していた。
また、ライン糸を挟んで固定する点は、従来の噛み潰し錘と同様であることから、魚の食いつきにより、ライン糸が引っ張られた場合に、ライン糸の動きが上記釣り用錘４０において寸断され、「アタリ」の感触が手元に伝達され難くなるという不具合については解決されていない。
【０００４】
また、ライン糸を挟み込むことによって取り付ける、従来の噛み潰し錘、及び上記特許文献１に示す形態の錘は、主に、渓流釣り若しくは湖沼におけるブラックバス釣り用としては広く流通しているものの、海釣り用の大型物ものは、現在まで流通していなかった。
【特許文献１】実開平４−４３９７４号公報
【考案の開示】
【考案が解決しようとする課題】
【０００５】
本考案の課題は、装着及び脱着が容易であり、経済性に優れると共に環境にも優しく、且つ装着時に、「アタリ」の感触が手元に伝達され易い釣り用錘であり、海釣りの等、釣り場環境に応じて錘を交換する必要がある場合にも柔軟に対応可能な釣り用錘を提供することにある。
【課題を解決するための手段】
【０００６】
上記課題を解決するために、請求項１の考案に係る釣り用錘は、一対の半部から形成され、釣り仕掛けに装着しうる釣り用錘において、上記一対の半部を接合した場合に互いに当接する上記半部の当接面部には、一対の溝部が形成され、上記一対の溝部は、上記半部を接合した場合に、長さ方向に沿って互いに当接することによりライン糸通し孔部を形成することを特徴とする。
【０００７】
従って、上記半部の一方の溝部に沿ってライン糸を配置して、上記一対半部を接合することによって、上記一対の溝部が当接することよって形成されるライン糸通し孔部に上記ライン糸が貫装された状態となる。
【０００８】
また、請求項２の考案に係る釣り用錘は、上記釣り用錘は全体紡鐘形状に形成され、上記半部は、上記釣り用錘を径方向に沿って二分割することにより形成されると共に、径方向一端部において開閉可能にヒンジ結合されていることを特徴とする。
従って、上記ヒンジ結合部を介して上記半部を開閉することによって、上記釣り用錘をライン糸に装着及び脱着することができる。
【０００９】
また、請求項３の考案に係る釣り用錘は、上記半部は鉛で形成されていることを特徴とする。
【考案の効果】
【００１０】
請求項１の考案にあっては、一対の半部から形成され、釣り仕掛けに装着しうる釣り用錘において、上記一対の半部を接合した場合に互いに当接する上記半部の当接面部には、一対の溝部が形成され、上記一対の溝部は、上記半部を接合した場合に、長さ方向に沿って互いに当接することによりライン糸通し孔部を形成することから、ライン糸への装着及び脱着操作が容易であり、経済性に優れると共に、環境にも優しく、且つ装着時に、「アタリ」の感触が手元に伝達され易い釣り用用錘であり、海釣り等、釣り場環境に応じて錘を交換する必要がある場合にも柔軟に対応可能な釣り用錘を提供することができる。
また、請求項２の考案にあっては、上記釣り用錘は全体紡鐘形状に形成され、上記半部は、上記釣り用錘を径方向に沿って二分割することにより形成されると共に、径方向一端部において開閉可能にヒンジ結合されていることから、請求項１の効果に加え、より開閉操作が容易であると共に、全体紡鐘形状であることから、投てき時の空気抵抗を受け難い。
更に、請求項３の考案にあっては、上記半部が鉛で形成されていることから、柔らかく、可撓性を有し、手指の力で容易に開閉操作できるため、装着及び脱着操作がより容易となる。
【図面の簡単な説明】
【００１１】
【図１】本考案に係る釣り用錘の一実施の形態を示し、（ａ）は半部を接合した状示す斜視図、（ｂ）は半部を開いた状態の正面図、及び（ｃ）はライン糸に装着した状態を示す斜視図である。
【図２】従来の釣り用錘の形態を示し、半部を開いた上体を示す斜視図である。
【考案を実施するための最良の形態】
【００１２】
本考案を実施するための形態について、図面を用いて説明する。
図１（ａ）及び（ｂ）に示すように本実施例にかかる釣り用錘１０は、鉛からなる一対の半部１１、１２から形成され、上記一対の半部１１、１２を接合した場合に互いに当接する上記半部１１、１２の当接面部１３、１４には、一対の溝部１５、１６が形成され、上記一対の溝部１５、１６は、上記半部１１、１２を接合した場合に、長さ方向に沿って互いに当接することによりライン糸通し孔部１７を形成する。
また、図１（ａ）に示すように、上記釣り用錘１０は全体紡鐘形状に形成され、上記半部１１、１２は、上記釣り用錘１０を径方向に沿って二分割することにより形成されると共に、径方向一端部１８において開閉可能にヒンジ結合されている。
【実施例１】
【００１３】
以下に、図面を用いて本実施例の構成について詳細を説明する。
図１（ａ）は、本実施例の釣り用錘１０の一対の半部１１、１２を接合した状態を示す斜視図、（ｂ）は上記半部１１、１２を開いた上体を示す正面図、及び（ｃ）は、上記釣り用錘１０をライン糸１９に装着した状態を示す斜視図である。
図１（ｂ）に示すように、上記半部１１、１２は、径方向一端部１８において、周方向に沿って接合した状態に形成され、上記接合部分は上記半部１１、１２を開閉する際に、ヒンジ部２０として作用する。
また、上記半部１１、１２の当接面部１３、１４は平面楕円形に形成され、上記溝部１５、１６は、それぞれ半円筒形に形成され、上記当接面部１３、１４の長径方向に沿って設けられている。
従って、図１（ａ）に示すように、上記半部１１、１２の当接面部１３、１４を当接させることによって、上記溝部１５、１６が当接して、上記釣り用錘１０の径方向に沿った細長円筒形のライン糸通し孔部１７が形成される。
【００１４】
また、図１（ｂ）に示すように、本実施例に係る釣り用錘１０をライン糸１９に装着する場合は、上記溝部１５若しくは１６に沿って、ライン糸１９を配置した状態で、手指を用いて、上記半部１１、１２をヒンジ部２０を介して接合することにより、上記当接面部１３、１４を当接させる。
上記操作によって、図１（ｃ）に示すように、上記溝部１５、１６で形成されるライン糸通し孔部１７内にライン糸１９が貫装された状態となる。
この際、上記釣り用錘１０の装着位置よりもハリス先端側に、予めヨリモドシ２１（サルカン）を装着しておくことによって、上記釣り用錘１０が上記ヨリモドシ２１を越えてハリス側に移動することを防止する。
【００１５】
以下、本実施例の形態に係る釣り用錘１０の作用について説明する。
図１（ｃ）に示すように、本実施例に係る釣り用錘１０をライン糸１９に装着した場合、上記ライン糸１９は、上記釣り用錘１０のライン糸通し孔部１７内を、図１（ｃ）中の矢印Ａに沿って摺動することができる。
従って、魚の食いつきによって、ライン糸１９がハリス側に引かれた場合は、ライン糸１９が上記ライン糸通し孔部１７内を摺動するため、「アタリ」の感触は、釣竿（図１には図示せず）を経由し、把持する手に速やかに手元に伝達され、迅速に「アタリ」を認知することができる。
【００１６】
また、上記釣り用錘１０を交換する必要がある場合であっても、手指で上記半部１１、１２を把持し、上記ヒンジ部２０を介して容易に拡開させることができるため、ライン糸１９から容易に脱着することができる。
従って、取り外しが容易であると共に、取り外し操作時にライン糸１９を切断する必要も無い。
従って、経済性に優れ、また、ゴミが発生しないことから環境への影響も少なくすることができる。
【００１７】
なお、本実施例においては、釣り用錘の全体形状が紡鐘形状である場合を例に説明したが、仕掛けの種類、魚場の環境等に応じて、別途の形状の錘を選択することも可能である。
【産業上の利用可能性】
【００１８】
本考案は、釣り仕掛け上に取り付けて使用する錘に適用可能である。
【符号の説明】
【００１９】
１０  釣り用錘
１１  半部
１２  半部
１３  当接面部
１４  当接面部
１５  溝部
１６  溝部  
１７  ライン糸通し孔部
１８  当接面部の径方向端部
１９  ライン糸
２０  ヒンジ部
２１  ヨリモドシ
４０  釣り用錘
４１  半部
４２  半部
４３  当接面部
４４  当接面部
４５  両面粘着テープ
４６  両面粘着テープ
４７  半部の径方向一端部
４８  半部の接合部
【図１】
0003155948.tif 000003
【図２】
0003155948.tif 000004